(57)【要約】      （修正有）【課題】基礎版に予め埋設するアンカーボルト組立体に、後日アンカーストラップの下端部に固着した水平板材を締結可能にした低温貯槽のアンカー構造を提供する。【解決手段】低温貯槽の内槽側板8の下部をアンカーストラップ21により基礎版2に固定するアンカー構造20は、アンカーストラップを含むアンカープレート組立体30と、アンカーボルト組立体40とを備え、アンカーボルト組立体は、４本のアンカーボルト41と、アンカーボルトの下端部に固定された下部アンカー板42と、アンカーボルトの上端寄り部に固定されたテンプレート43とを備え、且つテンプレートより下方部分が基礎版に埋設され、アンカープレート組立体は、アンカーストラップと、その下端に固着され且つ４つの挿通穴を有する水平板材31とを備え、水平板材を４本のアンカーボルトに複数のナットを用いて締結可能に構成した。【選択図】図２
2015096758.tif 000002
【特許請求の範囲】
【請求項１】
コンクリート製基礎版とＰＣ製防液堤と外槽と内槽とを有する低温貯槽における内槽側板の下部をアンカーストラップにより基礎版に固定するアンカー構造において、
前記アンカー構造は、前記アンカーストラップを含むアンカープレート組立体と、このアンカープレート組立体を基礎版に連結する為のアンカーボルト組立体とを備え、
前記アンカーボルト組立体は、縦向きに設けられた少なくとも１本のアンカーボルトと、前記アンカーボルトの上端寄り部位に固定されたテンプレートと、前記アンカーボルトの下端部に固定された下部アンカー板とを備えると共に前記テンプレートより下方部分が基礎版に埋設され、
前記アンカープレート組立体は、前記アンカーストラップと、このアンカーストラップの下端に固着され且つ前記アンカーボルトの上端部分を挿入可能な挿通穴を有する水平板材とを備え、
前記アンカープレート組立体の水平板材は、前記テンプレートの上に重ねた状態で、前記アンカーボルトに締結されるナットにより前記アンカーボルト組立体に連結されることを特徴とする低温貯槽のアンカー構造。
【請求項２】
前記アンカープレート組立体の水平部材の下面と前記テンプレートの上面の間に１又は複数のシム材を介在させた状態で、前記水平部材が前記アンカーボルト組立体に連結されることを特徴とする請求項１に記載の低温貯槽のアンカー構造。
【請求項３】
コンクリート製基礎版とＰＣ製防液堤と外槽と内槽とを有する低温貯槽における内槽側板の下部をアンカーストラップにより基礎版に固定するアンカー構造を設置する方法において、
前記アンカーストラップと、このアンカーストラップの下端に固着された水平板材とを備えたアンカープレート組立体と、
縦向きに設けられた少なくとも１本のアンカーボルトと、前記アンカーボルトの上端寄り部位に固定されたテンプレートと、前記アンカーボルトの下端部に固定された下部アンカー板とを備えたアンカーボルト組立体とを予め準備しておき、
前記基礎版のコンクリート打設時に、前記アンカーボルト組立体の前記テンプレートよりも下方部分を基礎版に埋設する埋設工程と、
内槽側板の構築後に、前記アンカープレート組立体の水平板材に前記アンカーボルトを挿通させる挿通穴を開ける穴開け工程と、
前記水平板材の挿通穴に前記アンカーボルトを挿通し、前記水平板材を前記テンプレートの上に重ねた状態で前記アンカーボルトにナットを締結することで、前記アンカープレート組立体をアンカーボルト組立体に連結する連結工程とを備えたことを特徴とする低温貯槽のアンカー構造設置方法。
【請求項４】
前記連結工程において、前記アンカープレート組立体の水平部材の下面と前記テンプレートの上面の間に１又は複数のシム材を介在させた状態で、前記水平部材を連結することを特徴とする請求項３に記載の低温貯槽のアンカー構造設置方法。
【発明の詳細な説明】
【技術分野】
【０００１】
本発明は、低温貯槽のアンカー構造およびアンカー構造設置方法に関し、特にアンカーボルト組立体を基礎版に予め埋設しておき、このアンカーボルト組立体にアンカーストラップの下端部に固着した水平板材を連結可能に構成したものに関する。
【背景技術】
【０００２】
ＬＮＧ等を貯蔵する地上式低温貯槽は、通常、コンクリート製基礎版と、ＰＣ製防液堤と、基礎版の上面と防液堤の内面に構築された外槽と、この外槽との間に保冷材を介在させるように構築される低温用鋼製の内槽とを有する。
【０００３】
この種の地上式低温貯槽においては、内槽ガス圧によって浮上しないように、また、地震発生時に転倒しないように、内槽が多数のアンカーストラップ（例えば、大型貯槽の場合全周で約２００〜２５０本）を介して基礎版にアンカーリングされる。多数のアンカーストラップは内槽側板の外側近傍において周方向に適当間隔おきに配置され、アンカーストラップの上端部は内槽側板の下部に連結され、アンカーストラップの下端部はアンカー構造を介して基礎版に固定される。
【０００４】
特許文献１には、代表的なアンカーストラップのアンカー構造（アンカーストラップ部保冷構造）が記載されている。このアンカーストラップ部保冷構造においては、内槽側板と外槽側板の間に対応する部位において、基礎版（底版）と底部冷熱抵抗緩和材とに円筒状のアンカーストラップボックスを鉛直に埋設状態に設け、アンカーストラップボックスに貫通させたアンカーストラップの下端部分を、アンカーストラップボックスの下端の下端補強板に固着し、アンカーストラップボックス内でアンカーストラップにグラスウール等の緩衝材を巻き付けると共に緩衝材の外側空間に無吸液性の断熱材（例えば、ポリウレタンフォーム）を充填している。尚、アンカーストラップボックスの上端開口はシール膜で覆っている。
【０００５】
図９に示すアンカー構造１００は、上記特許文献１のアンカー構造と同様の従来のアンカー構造である。この図９には、基礎版１０１、ＰＣ製防液堤１０２、外槽側板１０３、外槽底板１０４、内槽側板１０５、内槽底板１０６、内槽底板１０６の内槽アニュラープレート１０６ａ、レベルコンクリート１０７、底部保冷ブロック１０８、アンカーストラップ１０９、アンカースリーブ１１０及びアンカープレート１１１、グラスウール１１２、保冷材１１３（ポリウレタンフォーム）が図示されている。
【先行技術文献】
【特許文献】
【０００６】
【特許文献１】実開平７−３２２９９号公報
【発明の概要】
【発明が解決しようとする課題】
【０００７】
従来の特許文献1や図９に示すアンカー構造は、アンカーストラップの下端部分と一体的に固着された構造であり、基礎版は鉄筋コンクリート製のもので、そのコンクリート打設時にアンカー構造を埋設する。アンカー構造を一旦埋設すると、アンカー構造の設置位置は調整できなくなる。アンカーストラップの上端部は内槽側板の外面に当接状に連結することになるが、アンカー構造を据え付ける位置の位置決め誤差、内槽側板の据え付け誤差などが発生するため、アンカーストラップの上端部は内槽側板の外面に常に精度よく当接されるとは限らない。このため、アンカーストラップは曲げ応力を伴う状態で、内槽側板の外面に当接させて連結されることになるが、このような曲げ応力は極力発生しない状態で連結することが望ましい。
【０００８】
一方、アンカーストラップとアンカー構造を連結した状態でアンカー構造を設置するため、アンカー構造の据え付け後は、常時アンカー構造からやや傾斜状に立ち上がるアンカーストラップ（例えば、上下長さ２〜３ｍ）が、基礎版上に突出した状態になる。その結果、全周に亙って約２００〜２５０本ものアンカーストラップが林立状態になっていた。
【０００９】
そのため、レベルコンクリートやＰＣ製防液堤の構築や、底部保冷ブロックの据え付け時や内槽底板及び内槽側板の構築時に、多数のアンカーストラップが邪魔になり、作業能率の低下を来し、アンカーストラップが損傷しないように保護対策を講ずることも必要であった。
【００１０】
本発明の目的は、アンカーストラップから分離したアンカーボルト組立体を基礎版に予め埋設可能にした低温貯槽のアンカー構造、基礎版構築後にも内槽側板に対するアンカーストラップの位置や姿勢を修正可能にした低温貯槽のアンカー構造、及び前記のようなアンカー構造の設置方法を提供することである。
【課題を解決するための手段】
【００１１】
請求項１の低温貯槽のアンカー構造は、コンクリート製基礎版とＰＣ製防液堤と外槽と内槽とを有する低温貯槽における内槽側板の下部をアンカーストラップにより基礎版に固定するアンカー構造において、前記アンカー構造は、前記アンカーストラップを含むアンカープレート組立体と、このアンカープレート組立体を基礎版に連結する為のアンカーボルト組立体とを備え、 前記アンカーボルト組立体は、縦向きに設けられた少なくとも１本のアンカーボルトと、前記アンカーボルトの上端寄り部位に固定されたテンプレートと、前記アンカーボルトの下端部に固定された下部アンカー板とを備えると共に前記テンプレートより下方部分が基礎版に埋設され、 前記アンカープレート組立体は、前記アンカーストラップと、このアンカーストラップの下端に固着され且つ前記アンカーボルトの上端部分を挿入可能な挿通穴を有する水平板材とを備え、前記アンカープレート組立体の水平板材は、前記テンプレートの上に重ねた状態で、前記アンカーボルトに締結されるナットにより前記アンカーボルト組立体に連結されることを特徴としている。
【００１２】
請求項２の低温貯槽のアンカー構造は、請求項1の発明において、前記アンカープレート組立体の水平部材の下面と前記テンプレートの上面の間に１又は複数のシム材を介在させた状態で、前記水平部材が前記アンカーボルト組立体に連結されることを特徴としている。
【００１３】
請求項３の低温貯槽のアンカー構造設置方法は、コンクリート製基礎版とＰＣ製防液堤と外槽と内槽とを有する低温貯槽における内槽側板の下部をアンカーストラップにより基礎版に固定するアンカー構造を設置する方法において、前記アンカーストラップと、このアンカーストラップの下端に固着された水平板材とを備えたアンカープレート組立体と、
縦向きに設けられた少なくとも１本のアンカーボルトと、前記アンカーボルトの上端寄り部位に固定されたテンプレートと、前記アンカーボルトの下端部に固定された下部アンカー板とを備えたアンカーボルト組立体とを予め準備しておき、前記基礎版のコンクリート打設時に、前記アンカーボルト組立体の前記テンプレートよりも下方部分を基礎版に埋設する埋設工程と、内槽側板の構築後に、前記アンカープレート組立体の水平板材に前記アンカーボルトを挿通させる挿通穴を開ける穴開け工程と、前記水平板材の挿通穴に前記アンカーボルトを挿通し、前記水平板材を前記テンプレートの上に重ねた状態で前記アンカーボルトにナットを締結することで、前記アンカープレート組立体をアンカーボルト組立体に連結する連結工程とを備えたことを特徴としている。
【００１４】
請求項４の低温貯槽のアンカー構造設置方法は、請求項３の発明において、前記連結工程において、前記アンカープレート組立体の水平部材の下面と前記テンプレートの上面の間に１又は複数のシム材を介在させた状態で、前記水平部材を連結することを特徴としている。
【発明の効果】
【００１５】
請求項１の発明によれば、アンカーストラップを含みその下端に固着されたアンカープレート組立体と、このアンカープレート組立体を基礎版に連結する為のアンカーボルト組立体とを備え、アンカーボルト組立体はアンカーボルトとテンプレートと下部アンカー板とを備えると共にテンプレートより下方部分が基礎版に埋設され、前記アンカープレート組立体は、アンカーストラップと、その下端に固着され且つ前記アンカーボルトの上端部分を挿入可能な挿通穴を有する水平板材とを備えており、前記アンカープレート組立体の水平板材は、前記テンプレートの上に重ねた状態で、前記アンカーボルトに締結されるナットにより前記アンカーボルト組立体に連結されるため、基礎版のコンクリート打設時には、アンカーボルト組立体だけを据え付け、上方へ立ち上がるアンカーストラップを含むアンカープレート組立体は後日適当な時期に据え付けることができる。
【００１６】
アンカーボルト組立体を基礎版に埋設した状態では、前記アンカーボルトの上端部分だけが基礎版の上面から突出するだけであるので、レベルコンクリートやＰＣ製防液堤の構築や、底部保冷ブロックの据え付け時や、内槽底板及び内槽側板の構築時に、殆ど邪魔になることがないから、それらの作業能率を高めることができる。
【００１７】
しかも、アンカーボルト組立体の据え付け位置の位置決め誤差、内槽側板の据え付け誤差などが発生した場合には、アンカープレート組立体の水平板材の挿入穴の遊び代を介してアンカープレート組立体の内槽側板に対する径方向位置や周方向位置を調節することが可能であるため、アンカーストラップに曲げ応力が極力発生しない状態にしてアンカープレート組立体の水平板材をアンカーボルト組立体に連結することができる。
【００１８】
請求項２の発明によれば、前記アンカープレート組立体の水平部材の下面と前記テンプレートの上面の間に１又は複数のシム材を介在させた状態で、前記水平部材が前記アンカーボルト組立体に連結されており、前記のように、１又は複数のシム材を介して、アンカーストラップの傾斜角および高さ方向位置を調節することが可能である。このように、シム材を介してアンカーストラップの傾斜角および高さ方向位置を調節することで、アンカーストラップの取り付け精度を高めることができる。
【００１９】
請求項３の発明によれば、アンカーストラップを含むアンカープレート組立体と、アンカーボルト組立体を予め準備しておき、埋設工程において、基礎版のコンクリート打設時に、前記アンカーボルト組立体のテンプレートよりも下方部分を基礎版に埋設する。
次に、穴開け工程において、内槽側板の構築後に、アンカープレート組立体の水平板材にアンカーボルトを挿通させる挿通穴を開ける。最後に、連結工程において、水平板材の挿通穴にアンカーボルトを挿通し、水平板材をテンプレートの上に重ねた状態でアンカーボルトにナットを締結することで、アンカープレート組立体をアンカーボルト組立体に連結する。
【００２０】
以上のように、アンカーボルト組立体の据え付け位置の位置決め誤差や、内槽側板の据え付け誤差を加味して挿通穴の位置を調節することで、アンカーストラップの取り付け精度を高めることができる。
【００２１】
請求項４の発明によれば、連結工程において、アンカープレート組立体の水平部材の下面とテンプレートの上面の間に１又は複数のシム材を介在させた状態で、水平部材を連結する。このように、前記挿通穴の位置の調節と、シム材を介してのアンカーストラップの傾斜角度の調節とを行うことで、アンカーストラップの取り付け精度を十分に高めることができ、アンカーストラップに曲げ応力が殆ど発生しない状態にして、アンカーストラップの上端部を内槽側板に連結することができる。
【図面の簡単な説明】
【００２２】
【図１】本発明の実施例に係る低温貯槽の右半部の断面図である。
【図２】アンカーストラップとそのアンカー構造を含む低温貯槽の要部断面図である。
【図３】アンカーストラップとそのアンカー構造の正面図である。
【図４】アンカープレート組立体の平面図（図３のIV−IV線断面相当図）である。
【図５】下部アンカー板の平面図である。
【図６】アンカーストラップの上端部を内槽側板に連結する上端部連結構造の正面図である。
【図７】上記の上端部連結構造の断面図である。
【図８】水平板材とテンプレート間にシム板を挟着した場合のアンカープレート組立体とアンカーボルト組立体との連結状態の説明図である。
【図９】従来技術に係るアンカーストラップとそのアンカー構造を含む低温貯槽の要部断面図である。
【発明を実施するための形態】
【００２３】
以下、本発明を実施するための形態について実施例に基づいて説明する。
【実施例】
【００２４】
最初に、本実施例に係るＬＮＧ貯蔵用の低温貯槽１の構造の概要について図１に基づいて説明する。
【００２５】
図１に示すように、この低温貯槽１は、多数の基礎杭（図示略）の上に構築された鉄筋コンクリート製の基礎版２と、この基礎版２の外周部から立ち上がるプレストレストコンクリート製（ＰＣ製）の円筒形の防液堤３と、基礎版２の上面に敷設された底部ライナプレート４(外槽底板)と、この底部ライナプレート４の外周端部から立ち上げられて防液堤３の内周面に付設された外槽側板５と、底部ライナプレート４の上面に所定の厚さの保冷材６を介して設置された内槽底板７と、この内槽底板７の外周側部分である内槽アニュラープレート７ａの外周端近傍部から立ち上げられ且つ外槽側板５との間に所定の間隔を空けて配置された円筒形の内槽側板８と、外槽側板５の内面に形成された所定の厚さの冷熱抵抗緩和材（例えば、ポリウレタン発泡体など、図示略）と、外槽側板５と内槽側板８間の隙間に充填されたパーライト等の保冷材９と、内槽屋根１０と外槽屋根１１の間に保冷材１２を組み込んだ屋根構造１３などを備えている。尚、前記の保冷材６は下層のレベルコンクリート６ａと上層の保冷ブロック６ｂとで構成されている。
【００２６】
前記の低温貯槽１の外槽は、底部ライナプレート４と外槽側板５と外槽屋根１１とで構成されている。低温貯槽１の内槽は、内槽底板７と内槽側板８と内槽屋根１０とで構成されている。底部ライナプレート４と外槽側板５と外槽屋根１１などは普通鋼で製作される。内槽底板４と内槽側板８と内槽屋根１０などは低温用鋼で製作される。
【００２７】
次に、前記低温貯槽１の内槽側板８の下部をアンカーストラップ２１により基礎版に固定するアンカー構造２０について、図２〜図５に基づいて説明する。
この低温貯槽１の場合、内槽側板８の下部の全周を例えば２４０等分する位置に２４０枚のアンカーストラップ２１が配設され、各アンカーストラップ２１の下端部がアンカー構造２０により基礎版２に固定される。以下の説明では、１枚のアンカーストラップ２１とそのアンカー構造２０について説明する。
【００２８】
アンカーストラップ２１は、内槽側板８の下部の外周近傍に対応する位置において、下方程半径方向外側へ移行するように鉛直方向に対してやや傾斜した立て向き姿勢に配設されている。アンカーストラップ２１は幅が例えば約２００〜３００ｍｍ、板厚が例えば２０〜３０ｍｍの帯板状のものである。但し、アンカーストラップ２１の下端側部分には、下方に向って幅が拡大するように形成された連結板部２１ａが形成されている。アンカーストラップ２１は低温用鋼で製作される。
【００２９】
このアンカー構造２０は、アンカーストラップ２１と、アンカーストラップ２１の下端に固着された水平板材３１とを有するアンカープレート組立体３０と、このアンカープレート組立体３０を基礎版２に連結する為のアンカーボルト組立体４０とを備えている。
【００３０】
アンカーボルト組立体４０は、平面視にて例えば正方形の頂点に位置するように配置された鉛直（縦向き）の４本のアンカーボルト４１と、これらアンカーボルト４１の下端部に固定された水平な下部アンカー板４２と、これらアンカーボルト４１の上端寄り部に固定された水平なテンプレート４３とを備えている。アンカーボルト４１は、例えばステンレス鋼製のものである。このアンカーボルト組立体４０の前記テンプレート４３より下方部分が、鉄筋コンクリート製の基礎版２のコンクリート打設時に基礎版２に埋設され、テンプレート４３の上面が基礎版２の上面と同一面とされる。
【００３１】
下部アンカー板４２は、アンカー部材としての機能と、４本のアンカーボルト４１の下端部の相互の位置関係を所期の位置関係に保持する機能とを有するものである。下部アンカー板４２は、低温用鋼製の板材（例えば、板厚１０〜３０ｍｍ）であり、その４隅における角寄り部位には４つのボルト穴４２ａが形成され、中心部には円形開口４２ｂが形成されている。但し、円形開口４２ｂは省略してもよい。
【００３２】
下部アンカー板４２の４つのボルト穴４２ａに４本のアンカーボルト４１の下端部が夫々挿入され、各アンカーボルト４１に対して下部アンカー板４２が上下１対のナット４４ａ，４４ｂにより締結されている。
【００３３】
テンプレート４３は、４本のアンカーボルト４１の上端部分の相互の位置関係を所期の位置関係に保持する機能を有するものである。テンプレート４３は、低温用鋼製の正方形の板材（例えば、板厚５〜１０ｍｍ）であり、その４隅の近傍部位には４つのボルト穴（図示略）が形成されている。テンプレート４３の４つのボルト穴に４本のアンカーボルト４１の上端部分が夫々挿入され、各アンカーボルト４１にはテンプレート４３の下面に当接するナット４５ａが螺合されている。
【００３４】
前記アンカープレート組立体３０は、アンカーストラップ２１と、アンカーストラップ２１の連結板部２１ａの下端に固着され且つ４本のアンカーボルト４１の上端部分を挿入可能な４つの挿通穴３１ａを有する水平板材３１と、アンカーストラップ２１の両側においてアンカーストラップ２１と水平板材３１とに接合された例えば６枚の立て向きの三角形状の補強板３２とを備えている。尚、各ボルト穴３１ａの両側に間隔をあけて補強板３２が配置されている。また、補強板３２の数は６枚に限るものではない。
【００３５】
アンカープレート組立体３０をアンカーボルト組立体４０に固定する際には、４本のアンカーボルト４１の上端部分にナット４５ｂ，４５ｃを締結しない状態で、４本のアンカーボルト４１の上端部分を水平板材３１の４つの挿通穴３１ａに挿入し、水平板材３１をテンプレート４３の上に重ね、水平板材３１の下面の大部分をテンプレート４３の上面に面接触状に当接させた状態にして、各アンカーボルト４１の上端部分にナット４５ｂとロックナット４５ｃを締結し、各アンカーボルト４１に対して、下側のナット４５ａと上側のナット４５ｂ，４５ｃにより水平板材３１とテンプレート４３とを挟持した状態に締結する。
【００３６】
次に前記のアンカーストラップ２１の上端部分を内槽側板８の外面に連結する上端部連結構造５０について、図６、図７に基づいて説明する。
アンカーストラップ２１の上端部分には、パッド板５１が溶接接合されている。
前記内槽側板８の外面には立て長の１対のパッド板５２が溶接接合され、アンカーストラップ２１の外面側において、１対のパッド板５２に架橋状態となる架橋板５３が配設されて架橋板５３の両端部が対応するパッド板５２に溶接接合されている。
【００３７】
アンカーストラップ２１のパッド板５１の下端と架橋板５３の上端の間には角ロッド状のシム材５４が密着状に嵌合され、このシム材５４は架橋板５３に溶接された１対の固定ピース５５で固定されている。尚、パッド板５１，５２、架橋板５３、シム材５４、固定ピース５５等は低温用鋼で製作される。
【００３８】
次に、以上説明した低温貯槽のアンカー構造２０の作用、効果について説明する。
このアンカー構造２０は、アンカープレート組立体３０と、このアンカープレート組立体３０を基礎版２に連結する為のアンカーボルト組立体４０とを備え、アンカーボルト組立体４０は、４本のアンカーボルト４１と下部アンカー板４２とテンプレート４３とを備え且つテンプレート４３より下方部分が基礎版２に埋設される。
【００３９】
アンカープレート組立体３０は、アンカーストラップ２１と、アンカーストラップ２１の下端に固着され且つ４本のアンカーボルト４１の上端部分を挿入可能な４つの挿通穴３１ａを有する水平板材３１とを備え、前記水平板材３１を４本のアンカーボルト４１に複数のナット４５ａ〜４５ｃを用いて締結可能に構成したため、基礎版２のコンクリート打設時には、アンカーボルト組立体４０だけを据え付け、アンカーストラップ２１を含むアンカープレート組立体３０は後日適当な時期に据え付けて、アンカーボルト組立体４０に連結することができる。
【００４０】
アンカーボルト組立体４０を基礎版２に埋設した状態では、４本のアンカーボルト４１の上端部分だけが基礎版２の上面から突出するだけであるので、レベルコンクリート６ａやＰＣ製防液堤３の構築や、底部保冷ブロック６ｂの据え付け時や、内槽底板７及び内槽側板８の構築時に、殆ど邪魔になることがないから、それらの作業能率を高めることができる。そして、４本のアンカーボルト４１の基礎版２上面から突出する上端部分は簡単な合成樹脂製のキャプ部材等で保護することができるため損傷の虞もない。
【００４１】
しかも、先行技術のように、アンカーストラップボックスやアンカースリーブ内へのグラスウールやポリウレタンフォームを充填する必要もないため、それに付随するコストも節減できる。また、アンカーボルト組立体４０の据え付け精度に誤差が発生した場合にも、水平板材３１の４つの挿通穴３１ａの遊び代で吸収したり、水平板材３１とテンプレート４３間に部分的に薄いシム板を介在させる等により簡単に修正することができる。
【００４２】
アンカープレート組立体３０の水平板材３１は、テンプレート４３の上面に重ねて当接させた状態に連結されるため、連結後の水平精度を確保しやすい。
アンカープレート組立体３０は、アンカーストラップ２１と水平板材３１とに接合された６つの補強板３２を有するため、アンカーストラップ２１と水平板材３１との結合強度を高めることができる。
【００４３】
下部アンカー板４２の４つのボルト穴４２ａに４本のアンカーボルト４１が挿入されて複数のナット４４ａ，４４ｂにより締結するため、下部アンカー板４２により４本のアンカーボルト４１の下端部の相互の位置関係を所期の位置関係に保持することができる。
テンプレート４３の４つのボルト穴に４本のアンカーボルト４１が挿入されるため、テンプレート４３により４本のアンカーボルト４１の上端寄り部の相互の位置関係を所期の位置関係に保持することができる。
【００４４】
次に、以上説明した低温貯槽のアンカー構造２０を設置する方法について説明する。
前記のアンカープレート組立体３０と、前記アンカーボルト組立体４０とを予め準備しておく。但し、この段階では、アンカープレート組立体３０の水平板材３１の４つの挿通穴３１ａ（ボルト穴）は形成しないでおく。
【００４５】
先ず、最初の埋設工程において、基礎版２のコンクリート打設時に、アンカーボルト組立体４０のテンプレート４３よりも下方部分を基礎版２に埋設する。
次に、穴開け工程において、内槽側板８の少なくとも下部の構築後に、アンカープレート組立体３０の水平板材３１に４本のアンカーボルト４１を挿通させる４つの挿通穴３１ａを形成する。この場合、アンカーボルト組立体４０の据え付け位置の位置決め誤差、内槽側板８の据え付け誤差を吸収するように、水平板材３１における４つの挿通穴３１ａの位置を決定して４つの挿通穴３１ａを開ける。
【００４６】
次に、連結工程において、水平板材３１の４つの挿通穴３１ａに４本のアンカーボルト４１の上端部分を挿通し、水平板材３１をテンプレート４３の上に重ねた状態でアンカーボルト４１にナット４５ｂ，４５ｃを締結することで、アンカープレート組立体３０をアンカーボルト組立体４０に連結する。
【００４７】
但し、このとき、アンカーボルト組立体４０の据え付け位置の位置決め誤差、内槽側板８の据え付け誤差を吸収するために、内槽側板８に対するアンカーストラップ２１の傾斜角度を調節する必要がある場合には、図８に示すように、水平板材３１の下面とテンプレート４３の上面との間に１又は複数のシム板３３（シム材に相当する）を介在させた状態にして、アンカーストラップ２１の傾斜角度を調節し、アンカーストラップ２１をストレートの状態に保持したまま、アンカーストラップ２１の上端部を内槽側板８の外面に当接させ得る状態にして、ナット４５ｂ，４５ｃを４本のアンカーボルト４１に締結することで、水平板材３１をアンカーボルト組立体４０に連結する。
【００４８】
尚、図８の例では、左側シム板３３ａと右側シム板３３ｂが装着され、左側シム板３３ａには左側の２本のアンカーボルト４１が挿通され、右側シム板３３ｂには右側の２本のアンカーボルト４１が挿通されている。但し、左側の２本のアンカーボルト４１と右側の２本のアンカーボルト４１の間において水平板材３１とテンプレート４３の間に左側シム板３３ａ及び／又は右側シム板３３ｂを配置してもよい。尚、左右のシム板３３ａ，３３ｂは図示のように上面を水平面に対して傾斜した傾斜面に形成することが望ましい。また、左右のシム板３３ａ，３３ｂは、夫々複数の薄板やナットで構成してもよい。
【００４９】
このように、シム板３３を介してアンカーストラップ２１の傾斜角度および高さ方向位置を調節するため、アンカーストラップ２１に曲げ応力が極力発生してない状態にしてアンカーストラップ  ２１の上端部を内槽側板８に連結することができる。
【００５０】
次に、上記の実施例を部分的に変更する例について説明する。
１）前記実施例では、４本のアンカーボルト４１を例として説明したが、アンカーボルト４１の本数は、少なくとも１本でもよく、４本未満でもよく、５本以上でもよい。
【００５１】
２）上端部連結構造５０は、一例を示すものであり、図示以外の種々の構造の上端部連結構造を採用する場合もある。
３）尚、前記本発明の趣旨を逸脱しない範囲で、前記実施例に種々の変更を付加した形態で実施することができることは勿論である。
【産業上の利用可能性】
【００５２】
本発明は、種々の地上型低温貯槽の内槽側板を基礎版にアンカーリングするアンカー構造およびアンカー構造設置方法を提供する。
【符号の説明】
【００５３】
１    低温貯槽
２    基礎版
３    ＰＣ製防液堤
８    内槽側板
２０  アンカー構造
２１  アンカーストラップ
３０  アンカープレート組立体
３１  水平板材
３１ａ  ボルト穴
３３  シム板
４０  アンカーボルト組立体
４１  アンカーボルト
４２  下部アンカー板
４３  テンプレート
４４ａ，４４ｂ    ナット
４５ａ〜４５ｃ    ナット
【図１】
2015096758.tif 000003
【図２】
2015096758.tif 000004
【図３】
2015096758.tif 000005
【図４】
2015096758.tif 000006
【図５】
2015096758.tif 000007
【図６】
2015096758.tif 000008
【図７】
2015096758.tif 000009
【図８】
2015096758.tif 000010
【図９】
2015096758.tif 000011